(57)【要約】【課題】  無線呼出ボタンからの呼出信号を受信するナースコール受信機の電源プラグがコンセントから外れたら、ナースコール親機でそれを認識できるナースコールシステムを提供する。【解決手段】 ナースコール子機７は、無線呼出ボタン１と無線呼出ボタン１の呼出信号を受信するナースコール受信機２とナースコール受信機２が接続されて受信した呼出信号をナースコール親機５へ有線送信するプレート子機３とを有し、ナースコール受信機２が電源コンセントに接続する電源プラグ２３ａを有して商用電力を電源とし、商用電源の途絶を検知する受信機ＣＰＵ２６、プレート子機３へ電源の途絶を通知する端子抵抗変更回路２５を有すると共に、プレート子機３が電源途絶の通知を受けたらースコール親機５へ通知し、電源途絶発生の通知を受けたナースコール親機５は発報報知動作する。【選択図】  図３
2014161565.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、前記ナースコール子機と前記ナースコール親機との間の通信を制御する制御機とを有するナースコールシステムであって、
前記ナースコール子機は、呼出信号を無線発信する無線呼出ボタンと、前記無線呼出ボタンの呼出信号を受信するナースコール受信機と、前記ナースコール受信機が接続されて受信した前記呼出信号を前記ナースコール親機へ有線送信すると共に通話を実施するための通話部を備えた固定子機とを有し、
前記ナースコール受信機が、商用電源のコンセントに接続する電源プラグを有して商用電力を電源とし、商用電源の途絶を検知する電源途絶検知部、及び前記固定子機へ電源の途絶を通知する電源途絶通知部を有すると共に、前記固定子機が前記電源途絶の通知を受けて前記ナースコール親機へ電源途絶発生を通知するナースコール受信機監視部を有し、
前記電源途絶発生の通知を受けた前記ナースコール親機は、発報報知動作することを特徴とするナースコールシステム。
【請求項２】
前記固定子機は、前記電源途絶の通知を受けて電源途絶の発生を表示する表示部を有することを特徴とする請求項１記載のナースコールシステム。
【発明の詳細な説明】
【技術分野】
【０００１】
本発明は、病院や介護施設等で患者或いは被介護者が看護師或いは介護者を呼び出すためのナースコールシステムに関する。
【背景技術】
【０００２】
ナースコールシステムは、ベッド毎に看護師を呼び出すための呼出ボタンを具備したナースコール子機を備えているが、従来の呼出ボタンは壁面に設置されたプレート子機に接続線により接続されてベッド上等に配置されるものが広く使用されており、ベッド移動や患者の起き上がり動作等で接続線が引っ張られて断線が発生したり、コネクタ部を破損する場合があった。
そのため、呼出ボタンを無線化した構成が提案されている。例えば特許文献１には、壁面に設置されたプレート子機から呼出ボタンに対してポーリング呼出を一定周期で実施し、この応答信号から呼出ボタンの押下操作を認識するよう構成されたナースコール子機が開示されている。
【先行技術文献】
【特許文献】
【０００３】
【特許文献１】特開２００６−９５０３８号公報
【発明の概要】
【発明が解決しようとする課題】
【０００４】
上記特許文献１のナースコール子機は、呼出ボタンを無線化したことでベッドの移動等における呼出ボタンの断線やコネクタの破損を防ぐことができ、利便性を向上させることが出来る。
しかし、呼出ボタンを無線化することで、呼出ボタンの電源は呼出ボタンの信号を受信するナースコール受信機から電波により供給するよう構成したとしても、ナースコール受信機にも電源を供給する必要がある。このナースコール受信機への電源供給は、待受時にも多くの電力消費することから従来のナースコール子機のように廊下灯から供給するには供給能力に無理があり、特に病室に多数のナースコール子機が配置されている場合（多数のベッドが配置されている場合）、廊下灯から電力を供給するのは難しく、別途商用電源等から電源を供給することになる。このような場合、コンセントから外れたら、呼び出しできなく問題が新たに発生することになるため、対策が必要である。
【０００５】
そこで、本発明はこのような問題点に鑑み、無線呼出ボタンからの呼出信号を受信するナースコール受信機の電源プラグがコンセントから外れたら、ナースコール親機でそれを認識できるナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、ナースコール子機とナースコール親機との間の通信を制御する制御機とを有するナースコールシステムであって、ナースコール子機は、呼出信号を無線発信する無線呼出ボタンと、無線呼出ボタンの呼出信号を受信するナースコール受信機と、ナースコール受信機が接続されて受信した呼出信号をナースコール親機へ有線送信すると共に通話を実施するための通話部を備えた固定子機とを有し、ナースコール受信機が、商用電源のコンセントに接続する電源プラグを有して商用電力を電源とし、商用電源の途絶を検知する電源途絶検知部、及び固定子機へ電源の途絶を通知する電源途絶通知部を有すると共に、固定子機が電源途絶の通知を受けてナースコール親機へ電源途絶発生を通知するナースコール受信機監視部を有し、電源途絶発生の通知を受けたナースコール親機は、発報報知動作することを特徴とする。
この構成によれば、ナースコール受信機の電源プラグが外れて無線呼出ボタンが発信する呼出信号を受信できない状態が発生したら、ナースコール親機にて発報通知されるため、無線呼出ボタンが操作されたにも関わらず呼び出しが通知されない事態の発生を防止できる。
【０００７】
請求項２の発明は、請求項１に記載の構成において、固定子機は、電源途絶の通知を受けて電源途絶の発生を表示する表示部を有することを特徴とする。
この構成によれば、ナースコール子機側でも電源プラグの脱落発生を表示するため、認識し易い。
【発明の効果】
【０００８】
本発明によれば、無線呼出ボタンの呼出信号を受信するナースコール受信機の電源プラグが外れて、無線呼出ボタンが発信する呼出信号を受信できない状態が発生したら、ナースコール親機にて発報通知されるため、無線呼出ボタンが操作されたにも関わらず呼び出しが通知されない事態の発生を防止できる。
【図面の簡単な説明】
【０００９】
【図１】本発明に係るナースコールシステムの一例を示す構成図である。
【図２】無線呼出ボタンの回路ブロック図である。
【図３】ナースコール受信機とプレート子機の回路ブロック図である。
【図４】ナースコール受信機の他の形態を示す回路ブロック図である。
【発明を実施するための形態】
【００１０】
以下、本発明を具体化した実施の形態を、図面を参照して詳細に説明する。図１は本発明に係るナースコールシステムの一例を示す構成図であり、病院に設置した場合を示している。図１において、１はベッド毎に配置されて患者が看護師を呼び出すための無線呼出ボタン、２は無線呼出ボタン１が発信する電波を受信するナースコール受信機、３は個々のベッド近傍の壁面に設置されてナースコール受信機２が接続されるプレート子機、４は病室の出入口に設置されて呼出発生を表示する廊下灯、５はナースステーションに設置されて患者からの呼び出しに応答するためのナースコール親機、６はプレート子機３とナースコール親機５との間の通信を制御する制御機であり、無線呼出ボタン１とナースコール受信機２とプレート子機３とで看護師を呼び出して通話するためのナースコール子機７が構成されている。
【００１１】
ナースコール受信機２はプレート子機３に接続され、個々のプレート子機３は病室毎に伝送線Ｌ１により廊下灯４に接続されている。廊下灯４は、廊下灯幹線Ｌ２により制御機６に接続され、ナースコール親機５は親機幹線Ｌ３により制御機６に接続されている。
【００１２】
無線呼出ボタン１は図２の回路ブロック図に示すよう構成され、呼出信号等を発信するアンテナ１１、発信信号を生成して変調処理等実施する無線部１２、呼出信号を発生させるボタン部１３、電池を備えた電源部１４、電源の状態等を表示する表示部１５、無線呼出ボタン１全体を制御する呼出ボタンＣＰＵ１６等を備えている。ボタン部１３が患者等の操作者により押下されると、呼出ボタンＣＰＵ１６の制御により無線部１２から呼出信号が出力されてアンテナ１１から無線発信される。
【００１３】
ナースコール受信機２は図３の回路ブロック図に示すように構成され、無線呼出ボタン１から発信される呼出信号等を受信するアンテナ２１、受信信号の復調処理を実施する受信部２２、図示しない電源コンセントに接続して商用電力から電源の供給を受けるための電源プラグ２３ａを備えた電源部２３、プレート子機３に接続するためのコネクタ部２４、コネクタ部２４の端子間抵抗を変更するための抵抗２５ａ、切替回路２５ｂを具備する端子抵抗変更回路２５、端子抵抗変更回路２５を制御すると共にナースコール受信機２全体を制御する受信機ＣＰＵ２６等を備えている。
【００１４】
プレート子機３は、ナースコール受信機２を接続するコネクタ部３１、呼出信号の送信をリセットして待受状態に戻すための復旧ボタン３２、異常の発生をＬＥＤの発光等で表示する表示部３３、廊下灯４と通信するための子機ＩＦ３４、看護師と通話するためのマイク３５ａ及びスピーカ３５ｂを備えた通話部３５、プレート子機３全体を制御するプレート子機ＣＰＵ３６等を備えている。
【００１５】
廊下灯４は、ナースコール子機７からの呼出発生を表示する表示灯４ａ、患者氏名等を表示する患者情報表示部４ｂを備えている。また、ナースコール親機５は、呼出発生を報音する報音部５ａ、応答するたのハンドセット５ｂ等を備えた第１親機５１と、患者の詳細情報を表示する表示部５２ａを具備するパーソナルコンピュータから成る第２親機５２とで構成されている。
【００１６】
上記の如く構成されたナースコールシステムの動作を次に説明する。最初に、無線呼出ボタン１の操作による看護師の呼び出し、及び応答を簡単に説明する。
無線呼出ボタン１のボタン部１３が押下されて呼び出しが成されると、呼出ボタンＣＰＵ１６が呼出信号を生成し、無線部１２が呼出信号を変調処理してアンテナ１１から無線発信させる。
この呼出信号はナースコール受信機２のアンテナ２１で受信され、受信部２２で復調されて受信機ＣＰＵ２６の制御でプレート子機３に送信される。呼出信号を受信したプレート子機３は自身のＩＤを附加して廊下灯４に送信する。
尚、ナースコール受信機２の受信対象となっている無線呼出ボタンの認証は無線呼出ボタン１が発信するＩＤ情報により行われる（詳述せず）。
【００１７】
プレート子機３から呼出信号を受信した廊下灯４は、表示灯４ａを所定の点灯動作させて呼出発生を報知し、呼出信号に自身のＩＤを附加して制御機６を介してナースコール親機５に送信する。呼出信号を受信したナースコール親機５は、報音部５ａから呼出発生を報音し、表示部５２ａに呼出元の患者情報を表示する。
この呼び出しを受けてハンドセット５ｂを取って応答操作すると、制御機６が呼出元のナースコール子機７のプレート子機３に設けられた通話部３５とナースコール親機５の間の通話路を形成して通話が可能となる。
その後、通話が終了してハンドセット５ｂを戻すと通話路は遮断されて待受状態に戻る。
【００１８】
次に、ナースコール受信機２の電源プラグ２３ａが図示しないコンセントから外れた場合の動作を説明する。先ず、ナースコール受信機２の電源が正常な状態の場合、受信機ＣＰＵ２６の制御により、端子抵抗変更回路２５は端子間に抵抗を配置した（切替回路２５ｂを閉じた）状態を維持する。
そして、電源プラグ２３ａの抜け等で電源の供給が停止したら、受信機ＣＰＵ２６が電圧の低下からそれを検知し、切替回路２５ｂを開動作させて抵抗２５ａが端子間から切り離される。この受信機ＣＰＵ２６の電源途絶後の動作は、電源部２３の図示しないコンデンサ等を使用した蓄電部の残容量で実施される。
【００１９】
一方、プレート子機３側では、プレート子機ＣＰＵ３６がコネクタ部３１の所定の端子間抵抗を監視し、端子間抵抗が所定の値の範囲内にあれば正常であると判断し、所定の値を大きく超えたらナースコール受信機２の電源が途絶したと判断する。電源の途絶発生と判断したプレート子機ＣＰＵ２６は、廊下灯４に自身のＩＤ情報を附加した電源途絶発生信号を送信する。また、表示部３３において赤色ＬＥＤの発光等の所定の異常発生表示を実施する。
プレート子機３から電源途絶発生信号を受信した廊下灯４は、自身のＩＤ情報を附加した電源途絶発生信号を制御機６を介してナースコール親機５に送信する。また、廊下灯４は呼出信号の場合とは異なる所定の点灯形態（点滅形態）で表示灯４ａを点灯させる。
【００２０】
廊下灯４から電源途絶発生信号を受信したナースコール親機５は、警報音を発報すると共に、受信した電源途絶発生信号に添付されているプレート子機ＩＤ及び廊下灯ＩＤ情報を基に、表示部５２ａに信号送信元の情報を表示する。
【００２１】
このように、ナースコール受信機２の電源プラグ２３ａが外れて無線呼出ボタン１が発信する呼出信号を受信できない状態が発生した場合、ナースコール親機５にて発報通知するため、呼び出しが通知されない事態の発生を防ぐことができる。また、ナースコール親機５において信号送信元の情報が合わせて表示されるため、異常発生元を特定でき、対処し易い。
また、ナースコール子機７側でも電源プラグの脱落発生を表示するし、廊下灯４でも異常発生の通知動作を行うため、看護師は認識し易い。
【００２２】
尚、上記実施形態では、電源途絶の状態では端子間を完全に開放して端子間抵抗を無限大としているが、例えば電源供給時は１０ｋΩ、電源途絶時は１００ｋΩと有限値にしても良い。その場合、プレート子機３からナースコール受信機２が脱落した場合は端子間抵抗が無限大となることから、両者を個別に検出することが可能となる。また、受信機ＣＰＵ２６の制御で切替回路２５ｂを制御しているが、電源の投入でオン動作するリレー等を使用して切替回路２５ｂの動作を受信機ＣＰＵ２６の制御に依らない構成としても良い。
【００２３】
図４の回路ブロック図は、ナースコール受信機２の他の形態を示している。上記図３の形態とは電源の途絶をプレート子機３に通知する構成が異なっている。図４に示すように端子抵抗変更回路に代えてＩＤコード送信部２８を備えている。このＩＤコード送信部２８は複数のＩＤを記憶し、受信機ＣＰＵ２６の制御によりナースコール受信機２の状態に応じて所定のＩＤコードが出力されるよう構成されている。
例えば、４種類のコード「Ａ〜Ｄ」を記憶し、正常動作時は「Ａ」のＩＤコードを定期的に出力し、無線呼出ボタン１から発信される無線呼出ボタン１特有のＩＤ信号（詳述せず）が受信できない状況が発生したら、「Ｂ」のＩＤコードを出力し、電源の途絶を検知したら「Ｃ」のＩＤコードを出力し、無線呼出ボタン１からの呼出信号を受信すると「Ｄ」のＩＤコードを出力するよう受信機ＣＰＵ２６が制御する。尚、上記形態と同様に、受信機ＣＰＵ２６の電源途絶後のＩＤコード送信部２８の制御動作は、電源部２３の図示しないコンデンサ等を使用した蓄電部の残容量で実施される。
【００２４】
このＩＤコードを受信したプレート子機３は、プレート子機ＣＰＵ３６が「Ｃ」のＩＤコードを受信したら電源の途絶発生と判断し、廊下灯４に電源途絶発生信号を送信する。また、表示部３３において赤色ＬＥＤの発光等の所定の異常発生表示を実施する。
プレート子機３から電源途絶発生信号を受信した廊下灯４は、上記形態と同様に信号に自身のＩＤを附加して制御機６を介してナースコール親機５に送信する。また、廊下灯４は呼出信号の場合とは異なる所定の点灯形態（点滅形態）で表示灯４ａを点灯させる。  
そして、廊下灯４から電源途絶発生信号を受信したナースコール親機５は、警報音を発報すると共に、表示部５２ａに信号送信元の情報を表示する。
【００２５】
このように、ナースコール受信機２の電源プラグ２３が外れて無線呼出ボタン１が発信する呼出信号を受信できない状態が発生した場合、プレート子機３がナースコール受信機２から受信するＩＤ情報の変化により認識でき、この情報を基にナースコール親機５にて発報通知されるため、呼び出しが通知されなくなる事態の発生を防ぐことができる。
また、ＩＤコードにより異常発生を通知するため、ＩＤコードを変更することで複数種類の異常の通知を容易に実施できる。
【００２６】
尚、上記図４の実施形態では、電源途絶後の受信機ＣＰＵ２６の電源を電源部２３の残容量としたが、非常時にはコネクタ部２４を介してプレート子機３から受信機ＣＰＵ２６とＩＤコード送信部２８のみ動作する容量の電源供給を受けても良い。
【符号の説明】
【００２７】
１・・無線呼出ボタン、２・・ナースコール受信機、３・・プレート子機（固定子機）、５・・ナースコール親機、５ａ・・報音部、６・・制御機、２３・・電源部、２３ａ・・電源プラグ、２４・・コネクタ部、２５・・端子抵抗変更回路（電源途絶通知部）、２５ａ・・抵抗、２５ｂ・・切替回路、２６・・受信機ＣＰＵ（電源途絶検知部）、２８・・ＩＤコード送信部（電源途絶通知部）、３１・・コネクタ部、３３・・表示部、３５・・通話部、３６・・プレート子機ＣＰＵ（ナースコール受信機監視部）、５２ａ・・表示部。
【図１】
2014161565.tif 000003
【図２】
2014161565.tif 000004
【図３】
2014161565.tif 000005
【図４】
2014161565.tif 000006